(57)【要約】【課題】空気調和機用のリモコンのユーザビリティを向上させること。【解決手段】空気調和機用のリモコン１０は、操作を受け付ける操作部１２と、画面を表示する表示部１３と、制御部１４とを有し、制御部１４は、空気調和機が正常に動作しているときに、操作部１２に対し所定の操作がなされると、表示部１３に表示されているメイン画面にかえてサブ画面を表示部１３に表示させる一方で、空気調和機に異常が発生したときに、操作部１２に対し所定の操作がなされると、表示部１３に表示されているメイン画面にかえて異常通知画面を表示部１３に表示させる。【選択図】図４
2020072333.tif 000002
【特許請求の範囲】
【請求項１】
空気調和機用のリモートコントローラであって、
操作を受け付ける操作部と、
画面を表示する表示部と、
前記空気調和機が正常に動作しているときに、前記操作部に対し所定の操作がなされると、前記表示部に表示されている第一画面にかえて第二画面を前記表示部に表示させ、
前記空気調和機に異常が発生したときに、前記操作部に対し前記所定の操作がなされると、前記表示部に表示されている前記第一画面にかえて、異常を通知する異常通知画面を前記表示部に表示させる制御部と、
を具備するリモートコントローラ。
【請求項２】
前記制御部は、前記異常が発生したときに、異常が発生したことを示す情報を前記第一画面に付加する、
請求項１に記載のリモートコントローラ。
【請求項３】
前記異常通知画面は、発生した異常の項目を通知する項目通知画面と、前記項目の詳細な内容を通知する詳細通知画面とを含み、
前記制御部は、前記項目通知画面が前記表示部に表示されているときに、前記操作部に対し前記所定の操作がなされると、前記項目通知画面にかえて前記詳細通知画面を前記表示部に表示させる、
請求項１または２に記載のリモートコントローラ。
【請求項４】
前記制御部は、前記異常通知画面が前記表示部に表示されているときに、前記操作部に対し前記所定の操作がなされると、前記異常通知画面にかえて前記第二画面を前記表示部に表示させる、
請求項１から３の何れか一つに記載のリモートコントローラ。
【発明の詳細な説明】
【技術分野】
【０００１】
本開示は、空気調和機用のリモートコントローラに関する。
【背景技術】
【０００２】
空気調和機に異常が発生したときに、空気調和機用を制御するリモートコントローラの表示部に、通常運転時に必要な設定温度等の情報を表示する画面（以下では「通常表示画面」と呼ぶことがある）にかえて、空気調和機に発生した異常を通知する画面（以下では「異常通知画面」と呼ぶことがある）を表示する技術がある。
【先行技術文献】
【特許文献】
【０００３】
【特許文献１】特開２０１６−０３９４３９号公報
【発明の概要】
【発明が解決しようとする課題】
【０００４】
上記の技術では、異常が発生したときに異常通知画面を通常表示画面にかえて表示するため、通常運転に必要な情報が表示されなくなってしまう。このため、上記の技術では、通常運転に係る操作（例えば、温度設定等の操作）を行うことが困難になってしまう。よって、上記の技術では、リモートコントローラを用いた空気調和機の操作において、リモートコントローラのユーザビリティ（ユーザの使い勝手）が低下することがあった。
【０００５】
本開示は、空気調和機用のリモートコントローラのユーザビリティを向上させることができる技術を提供する。
【課題を解決するための手段】
【０００６】
開示の態様のリモートコントローラは、空気調和機用のリモートコントローラであって、操作を受け付ける操作部と、画面を表示する表示部と、制御部とを有する。前記制御部は、前記空気調和機が正常に動作しているときに、前記操作部に対し所定の操作がなされると、前記表示部に表示されている第一画面にかえて第二画面を前記表示部に表示させる。一方で、前記制御部は、前記空気調和機に異常が発生したときに、前記操作部に対し前記所定の操作がなされると、前記表示部に表示されている前記第一画面にかえて、異常を通知する異常通知画面を前記表示部に表示させる。
【発明の効果】
【０００７】
本開示の技術によれば、空気調和機用のリモートコントローラのユーザビリティを向上させることができる。
【図面の簡単な説明】
【０００８】
【図１】図１は、実施例１の空気調和機制御システムの構成例を示す図である。
【図２】図２は、実施例１のリモートコントローラの外観の一例を示す図である。
【図３】図３は、実施例１の操作部の構成例を示す図である。
【図４】図４は、実施例１のリモートコントローラの構成例を示す図である。
【図５】図５は、実施例１のリモートコントローラの動作例の説明に供する図である。
【図６】図６は、実施例１のリモートコントローラの動作例の説明に供する図である。
【図７】図７は、実施例１のリモートコントローラの動作例の説明に供する図である。
【図８】図８は、実施例１のリモートコントローラの動作例の説明に供する図である。
【図９】図９は、実施例１のリモートコントローラの動作例の説明に供する図である。
【図１０】図１０は、実施例２のリモートコントローラの動作例の説明に供する図である。
【図１１】図１１は、実施例２のリモートコントローラの動作例の説明に供する図である。
【発明を実施するための形態】
【０００９】
以下に、本開示の技術を図面に基づいて説明する。以下では、同一の構成には同一の符号を付す。
【００１０】
［実施例１］
＜空気調和機制御システムの構成＞
図１は、実施例１の空気調和機制御システムの構成例を示す図である。図１において、空気調和機制御システム１は、リモートコントローラ（以下では「リモコン」と呼ぶことがある）１０と、空気調和機２０とを有する。リモコン１０は空気調和機２０用のリモコンであり、リモコン１０に対するユーザの操作に応じて、空気調和機２０の動作が制御される。リモコン１０と空気調和機２０とは、例えば赤外線通信や、Bluetooth（登録商標）等の高周波通信を用いて、相互に無線通信する。
【００１１】
＜リモートコントローラの外観＞
図２は、実施例１のリモートコントローラの外観の一例を示す図である。図２において、リモコン１０は、筐体１１と、操作部１２と、表示部１３と、底面１４とを有する。
【００１２】
筐体１１は、例えば、ＡＢＳ等の樹脂材料により形成される。また、筐体１１は、円筒状の形状をとり、筐体１１の上面は、ユーザがリモコン１０を操作する際の手前側から奥側（Ｙ軸方向）に向かって傾斜し、筐体１１の奥側が筐体１１の手前側より底面１４を基準にＺ軸方向に高い位置にある。
【００１３】
筐体１１の上面には、操作部１２と、表示部１３とが設けられる。ユーザは、表示部１３に表示される画面（以下では「表示画面」と呼ぶことがある）を見て操作部１２に対して操作を行うことにより、空気調和機２０の動作を制御する。
【００１４】
また、操作部１２及び表示部１３は筐体１１の底面１４に対し５°〜１５°傾斜している。
【００１５】
＜操作部の構成＞
図３は、実施例１の操作部の構成例を示す図である。図３において、操作部１２には、４つの選択ボタン１２１〜１２４と、１つの決定ボタン１２５とが配置される。表示部１３を基準にして、選択ボタン１２１は奥側に、選択ボタン１２２は手前側に、選択ボタン１２３は左側に、選択ボタン１２４は右側に、それぞれ配置される。また、決定ボタン１２５は、表示部１３の右下コーナー付近に配置される。
【００１６】
以下の図５〜９において説明するように、選択ボタン１２１は、ユーザの選択画面や選択項目を現在のものより人間の感覚的に上に位置するものに切りかえるためのボタンであり、選択ボタン１２２は、ユーザの選択画面や選択項目を現在のものより人間の感覚的に下に位置するものに切りかえるためのボタンである。選択ボタン１２３は、ユーザの選択画面や選択項目を現在のものより人間の感覚的に左に位置するものに切りかえるためのボタンであり、選択ボタン１２４は、ユーザの選択画面や選択項目を現在のものより人間の感覚的に右に位置するものに切りかえるためのボタンである。また、決定ボタン１２５は、選択ボタン１２１〜１２４を用いてユーザが選択した画面や項目における動作内容を決定するためのボタンである。
【００１７】
＜リモートコントローラの構成＞
図４は、実施例１のリモートコントローラの構成例を示す図である。図４において、リモコン１０は、操作部１２と、表示部１３と、制御部１４と、記憶部１５と、通信部１６と、アンテナ１７とを有する。制御部１４、記憶部１５、通信部１６、及び、アンテナ１７は、筐体１１の内部に配置される。制御部１４は、リモコン１０の各種制御を行う。記憶部１５は、リモコン１０の動作に必要な各種の情報を記憶する。通信部１６は、空気調和機２０と無線通信する。アンテナ１７は、通信部１６から出力された信号を送信し、空気調和機２０から送信された信号を受信する。
【００１８】
＜リモートコントローラの動作＞
図５〜９は、実施例１のリモートコントローラの動作例の説明に供する図である。図５には、空気調和機２０に異常が無く空気調和機２０が正常に動作しているとき（つまり、空気調和機２０の通常運転時）の表示画面例を示す。また、図６〜９には、空気調和機２０に異常が発生したときの表示画面例を示す。
【００１９】
記憶部１５には、図５及び図６に示す１つのメイン画面ＭＰ、複数のサブ画面ＳＰ１〜ＳＰ４、複数のメニュー画面ＮＰ１〜ＮＰ４、及び、複数の詳細通知画面ＤＰ１〜ＤＰ３の各画面が記憶されている。
【００２０】
制御部１４は、ユーザよる選択ボタン１２１〜１２４及び決定ボタン１２５に対する操作に応じて、記憶部１５から、メイン画面ＭＰ、サブ画面ＳＰ１〜ＳＰ４、メニュー画面ＮＰ１〜ＮＰ４、及び、詳細通知画面ＤＰ１〜ＤＰ３のうちの何れかの画面を読み出し、表示部１３に表示させる。
【００２１】
以下、空気調和機２０が正常に動作しているとき（つまり、空気調和機２０の通常運転時）の表示画面例と、空気調和機２０の異常発生時の表示画面例とに分けて説明する。
【００２２】
＜通常運転時＞
空気調和機２０の通常運転時には、制御部１４は、図５に示すように、メイン画面ＭＰとサブ画面ＳＰ１〜ＳＰ３とから第一階層の画面群（以下では「第一階層画面群」と呼ぶことがある）を形成し、メニュー画面ＮＰ１〜ＮＰ３から、第一階層より下位の階層である第二階層の画面群（以下では「第二階層画面群」と呼ぶことがある）を形成する。
【００２３】
例えば、制御部１４は、リモコン１０が待機状態にあるときは、表示部１３を消灯させることによりリモコン１０の省電力化を図る。そして、制御部１４は、待機状態にあるリモコン１０において決定ボタン１２５がタッチされると、リモコン１０を待機状態から動作状態に復帰させる。また、制御部１４は、リモコン１０を動作状態に復帰させた際の初期画面として、メイン画面ＭＰを表示部１３に表示させる。メイン画面ＭＰには、例えば、空気調和機２０の現在の運転モード（図５の例では「冷房」）と、空気調和機２０における現在の設定温度（図５の例では「２８℃」）とが含まれる。
【００２４】
メイン画面ＭＰが表示部１３に表示されているときに選択ボタン１２１がタッチされると、制御部１４は、空気調和機２０の設定温度を上げることを空気調和機２０に指示する信号を通信部１６を用いてアンテナ１７を介して空気調和機２０へ送信する。一方で、メイン画面ＭＰが表示部１３に表示されたときに選択ボタン１２２がタッチされると、制御部１４は、空気調和機２０の設定温度を下げることを空気調和機２０に指示する信号を通信部１６を用いてアンテナ１７を介して空気調和機２０へ送信する。
【００２５】
また、メイン画面ＭＰが表示部１３に表示されているときに選択ボタン１２４がタッチされると、制御部１４は、表示画面を、メイン画面ＭＰからサブ画面ＳＰ１に切りかえる。つまり、サブ画面ＳＰ１は、人間の感覚的に、通常運転時のメイン画面ＭＰの右に隣接して配置されるサブ画面である。また、サブ画面ＳＰ１は運転モード設定用のサブ画面である。ここで、決定ボタン１２４へのタッチ操作は、操作部１２に対してなされる「所定の操作」の一例である。
【００２６】
そして、サブ画面ＳＰ１が表示部１３に表示されてから選択ボタン１２１〜１２４及び決定ボタン１２５の何れもがタッチされることなく所定時間（例えば、０.８秒）が経過した場合は、制御部１４は、表示画面を、サブ画面ＳＰ１からメニュー画面ＮＰ１に切りかえる。この所定時間は、例えば、ユーザがリモコン１０の操作を行う際に違和感を覚えない程度の適当な時間に設定される。メニュー画面ＮＰ１では、空気調和機２０において選択可能な運転モードの項目の一覧が表示される。例えば、メニュー画面ＮＰ１には、選択可能な運転モードの項目として、「ランドリー」と、「冷房」と、「除湿」とが表示されている。運転モードが「ランドリー」である場合、空気調和機２０は、外気温が２０℃以上のときは、冷房の強弱を組み合わせた運転で空気を乾燥させ、外気温が２０℃未満のときは、最初に暖房運転で部屋を暖めた後、冷房の強弱を組み合わせた運転で空気を乾燥させる。制御部１４は、表示部１３にメニュー画面ＮＰ１が表示されている際に選択ボタン１２１または選択ボタン１２２がタッチされると、メニュー画面ＮＰ１に表示される一覧において反転表示される項目を切りかえる。これにより、ユーザは、これらの中から何れか一つの項目を選択する。
【００２７】
ユーザは選択を終えた後に決定ボタン１２５をタッチすることで制御部１４に対し選択した項目を通知する。制御部１４は、通知された項目（例えば「冷房」）を、通信部１６を用いてアンテナ１７を介して空気調和機２０へ送信する。
【００２８】
また、メニュー画面ＮＰ１が表示部１３に表示されているときに選択ボタン１２３がタッチされると、制御部１４は、表示画面を、メニュー画面ＮＰ１からサブ画面ＳＰ１に戻す。なお、制御部１４は、メニュー画面ＮＰ１が表示部１３に表示されているときに選択ボタン１２４がタッチされると、表示画面を、メニュー画面ＮＰ１からサブ画面ＳＰ１に戻しても良い。
【００２９】
また、メイン画面ＭＰが表示部１３に表示されているときに選択ボタン１２３がタッチされると、制御部１４は、表示画面を、メイン画面ＭＰからサブ画面ＳＰ３に切りかえる。サブ画面ＳＰ３は風向設定用のサブ画面である。
【００３０】
そして、サブ画面ＳＰ３が表示部１３に表示されてから選択ボタン１２１〜１２４及び決定ボタン１２５の何れもがタッチされることなく所定時間（例えば、０.８秒）が経過した場合は、制御部１４は、表示画面を、サブ画面ＳＰ３からメニュー画面ＮＰ３に切りかえる。メニュー画面ＮＰ３では、空気調和機２０において選択可能な風向設定の項目の一覧が表示される。例えば、メニュー画面ＮＰ３には、選択可能な風向設定の項目として、「快適おまかせ気流」と、「全ファン連動上下」と、「全ファン連動左右」とが表示される。風向設定が「快適おまかせ気流」である場合、空気調和機２０は、部屋の状況に合わせて、風向を自動調節する。風向設定が「全ファン連動上下」である場合、空気調和機２０は、サイドファンの上下の向きを中央ファンの上下の向きに合わせて自動で最適な状態にする。風向設定が「全ファン連動左右」である場合、空気調和機２０は、サイドファンの左右の向きを中央ファンの左右の向きに合わせて自動で最適な状態にする。制御部１４は、表示部１３にメニュー画面ＮＰ３が表示されている際に選択ボタン１２１または選択ボタン１２２がタッチされると、メニュー画面ＮＰ３に表示される一覧において反転表示される項目を切りかえる。これにより、ユーザは、これらの中から何れか一つの項目を選択する。
【００３１】
ユーザは選択を終えた後に決定ボタン１２５をタッチすることで制御部１４に対し選択した項目を通知する。制御部１４は、通知された項目（例えば「全ファン連動上下」）を、通信部１６を用いてアンテナ１７を介して空気調和機２０へ送信する。
【００３２】
また、メニュー画面ＮＰ３が表示部１３に表示されているときに選択ボタン１２３がタッチされると、制御部１４は、表示画面を、メニュー画面ＮＰ３からサブ画面ＳＰ３に戻す。なお、制御部１４は、メニュー画面ＮＰ３が表示部１３に表示されているときに選択ボタン１２４がタッチされると、表示画面を、メニュー画面ＮＰ３からサブ画面ＳＰ３に戻しても良い。
【００３３】
また、サブ画面ＳＰ１が表示部１３に表示されてから所定時間（例えば、０.８秒）以内に選択ボタン１２４がタッチされると、制御部１４は、表示画面を、サブ画面ＳＰ１からサブ画面ＳＰ２に切りかえる。サブ画面ＳＰ２は風量設定用のサブ画面である。
【００３４】
また、サブ画面ＳＰ２が表示部１３に表示されてから選択ボタン１２１〜１２４及び決定ボタン１２５の何れもがタッチされることなく所定時間（例えば、０.８秒）が経過した場合は、制御部１４は、表示画面を、サブ画面ＳＰ２からメニュー画面ＮＰ２に切りかえる。メニュー画面ＮＰ２では、空気調和機２０において選択可能な風量設定対象の項目の一覧が表示される。例えば、メニュー画面ＮＰ２には、選択可能な風量設定対象の項目として、「快適おまかせ気流」と、「全ファン連動風量」と、「中央ファン風量」とが表示されている。風量設定が「快適おまかせ気流」である場合、空気調和機２０は、部屋の状況に合わせて、風量を自動調節する。風量設定が「全ファン連動風量」である場合、空気調和機２０は、サイドファンの風量を中央ファンの風量に合わせて自動で最適な状態にする。風量設定が「中央ファン風量」である場合、ユーザは、サブ画面ＳＰ２において中央ファンの風量を設定できる。制御部１４は、表示部１３にメニュー画面ＮＰ２が表示されている際に選択ボタン１２１または選択ボタン１２２がタッチされると、メニュー画面ＮＰ２に表示される一覧において反転表示される項目を切りかえる。これにより、ユーザは、これらの中から何れか一つの項目を選択する。
【００３５】
ユーザは選択を終えた後に決定ボタン１２５をタッチすることで制御部１４に対し選択した項目を通知する。制御部１４は、通知された項目（例えば「全ファン連動風量」）を、通信部１６を用いてアンテナ１７を介して空気調和機２０へ送信する。
【００３６】
また、メニュー画面ＮＰ２が表示部１３に表示されているときに選択ボタン１２３がタッチされると、制御部１４は、表示画面を、メニュー画面ＮＰ２からサブ画面ＳＰ２に戻す。なお、制御部１４は、メニュー画面ＮＰ２が表示部１３に表示されているときに選択ボタン１２４がタッチされると、表示画面を、メニュー画面ＮＰ２からサブ画面ＳＰ２に戻しても良い。
【００３７】
また、サブ画面ＳＰ１が表示部１３に表示されてから所定時間（例えば、０.８秒）以内に選択ボタン１２３がタッチされると、制御部１４は、表示画面を、サブ画面ＳＰ１からメイン画面ＭＰに切りかえる。
【００３８】
また、サブ画面ＳＰ２が表示部１３に表示されてから所定時間（例えば、０.８秒）以内に選択ボタン１２４がタッチされると、制御部１４は、表示画面を、サブ画面ＳＰ２からサブ画面ＳＰ３に切りかえる。
【００３９】
また、サブ画面ＳＰ２が表示部１３に表示されてから所定時間（例えば、０.８秒）以内に選択ボタン１２３がタッチされると、制御部１４は、表示画面を、サブ画面ＳＰ２からサブ画面ＳＰ１に切りかえる。
【００４０】
また、サブ画面ＳＰ３が表示部１３に表示されてから所定時間（例えば、０.８秒）以内に選択ボタン１２４がタッチされると、制御部１４は、表示画面を、サブ画面ＳＰ３からメイン画面ＭＰに切りかえる。
【００４１】
また、サブ画面ＳＰ３が表示部１３に表示されてから所定時間（例えば、０.８秒）以内に選択ボタン１２３がタッチされると、制御部１４は、表示画面を、サブ画面ＳＰ３からサブ画面ＳＰ２に切りかえる。
【００４２】
以上、空気調和機２０の通常運転時の表示画面例について説明した。
【００４３】
＜異常発生時＞
次いで、空気調和機２０の異常発生時の表示画面例について説明する。以下、通常運転時と異なる点について説明する。
【００４４】
空気調和機２０において異常が発生した際には、発生した異常の内容（以下では「異常内容」と呼ぶことがある）を通知する信号（以下では「異常内容通知信号」と呼ぶことがある）が空気調和機２０からリモコン１０に対して送信される。リモコン１０では、通信部１６がアンテナ１７を介して異常内容通知信号を受信し、受信した異常内容通知信号を制御部１４へ出力する。
【００４５】
制御部１４は、異常内容通知信号により、空気調和機２０に異常が発生したことと、空気調和機２０に発生した異常の内容とが入力される。空気調和機２０の異常発生時には、制御部１４は、図６〜９に示すように、メイン画面ＭＰとサブ画面ＳＰ１〜ＳＰ４とから第一階層画面群を形成し、メニュー画面ＮＰ１〜ＮＰ４から第二階層画面群を形成するとともに、詳細通知画面ＤＰ１〜ＤＰ３から、第二階層より下位の階層の第三階層の画面群（以下では「第三階層画面群」と呼ぶことがある）を形成する。サブ画面ＳＰ４、メニュー画面ＮＰ４、及び、詳細通知画面ＤＰ１〜ＤＰ３は、異常通知画面の一例である。
【００４６】
また、空気調和機２０の異常発生時には、制御部１４は、図６に示すように、空気調和機２０が正常に動作しているときに（つまり、通常運転時に）メイン画面ＭＰに含まれる情報（例えば、空気調和機２０の現在の運転モード、及び、空気調和機２０における現在の設定温度（図５））に加え、例えば、異常が発生したことを示すマーク（以下では「異常発生マーク」と呼ぶことがある）Ｍ１をメイン画面ＭＰに付加する。これにより、ユーザに対し、空気調和機２０に異常が発生したことをメイン画面ＭＰにて通知する。ここで、異常発生マークＭ１は、空気調和機２０に異常が発生したことのみを通知するものであり、発生した異常の内容を通知するものではない。そこで、ユーザは、異常発生マークＭ１を含むメイン画面ＭＰが表示部１３に表示されているときに選択ボタン１２４をタッチすることにより、異常内容を確認することができる。
【００４７】
すなわち、異常発生マークＭ１を含むメイン画面ＭＰが表示部１３に表示されているときに選択ボタン１２４がタッチされると、制御部１４は、表示画面を、メイン画面ＭＰからサブ画面ＳＰ４に切りかえる。つまり図６においてサブ画面ＳＰ４は、人間の感覚的に、異常発生時のメイン画面ＭＰの右に隣接して配置されている。また、サブ画面ＳＰ４は異常内容の確認用のサブ画面である。
【００４８】
そして、サブ画面ＳＰ４が表示部１３に表示されてから選択ボタン１２１〜１２４及び決定ボタン１２５の何れもがタッチされることなく所定時間（例えば、０.８秒）が経過した場合は、制御部１４は、表示画面を、サブ画面ＳＰ４からメニュー画面ＮＰ４に切りかえる。メニュー画面ＮＰ４では、制御部１４に入力された異常内容通知信号に従って、空気調和機２０に発生した異常の項目の一覧が表示される。つまり、メニュー画面ＮＰ４は、発生した異常の項目を通知する項目通知画面に相当する。例えば、サービスセンターへの連絡が必要な異常が発生した場合には、メニュー画面ＮＰ４には、異常の項目として「サービスコード」が表示される。また例えば、空気調和機２０が備えるフィルターの取付に異常がある場合には、メニュー画面ＮＰ４には、異常の項目として「フィルター異常」が表示される。また例えば、空気調和機２０が備えるプラズマクリーンユニット（空気清浄ユニットを指す）の取付に異常がある場合には、メニュー画面ＮＰ４には、異常の項目として「プラズマクリーン異常」が表示される。制御部１４は、表示部１３にメニュー画面ＮＰ４が表示されている際に選択ボタン１２１または選択ボタン１２２がタッチされると、メニュー画面ＮＰ４に表示される一覧において反転表示される項目を切りかえる。これにより、ユーザは、これらの中から何れか一つの項目を選択する。
【００４９】
例えば、図７に示すように、メニュー画面ＮＰ４が表示部１３に表示されているときに選択ボタン１２１，１２２のタッチ操作により項目「サービスコード」が選択され、かつ、決定ボタン１２５がタッチされると、制御部１４は、異常内容通知信号に基づいて、項目「サービスコード」に対応する異常内容の詳細を通知する詳細通知画面ＤＰ１を表示部１３に表示させる。詳細通知画面ＤＰ１には、異常が発生した空気調和機２０の機種名と製造番号の情報が含まれる。詳細通知画面ＤＰ１が表示部１３に表示されているときに選択ボタン１２３がタッチされると、制御部１４は、表示画面を、詳細通知画面ＤＰ１からサブ画面ＮＰ４に戻す。
【００５０】
また例えば、図８に示すように、メニュー画面ＮＰ４が表示部１３に表示されているときに選択ボタン１２１，１２２のタッチ操作により項目「フィルター異常」が選択され、かつ、決定ボタン１２５がタッチされると、制御部１４は、異常内容通知信号に基づいて、項目「フィルター異常」に対応する異常内容の詳細を通知する詳細通知画面ＤＰ２を表示部１３に表示させる。詳細通知画面ＤＰ２には、フィルター異常に対する対処方法の情報が含まれる。詳細通知画面ＤＰ２が表示部１３に表示されているときに選択ボタン１２３がタッチされると、制御部１４は、表示画面を、詳細通知画面ＤＰ２からサブ画面ＮＰ４に戻す。
【００５１】
また例えば、図９に示すように、メニュー画面ＮＰ４が表示部１３に表示されているときに選択ボタン１２１，１２２のタッチ操作により項目「プラズマクリーン異常」が選択され、かつ、決定ボタン１２５がタッチされると、制御部１４は、異常内容通知信号に基づいて、項目「プラズマクリーン異常」に対応する異常内容の詳細を通知する詳細通知画面ＤＰ３を表示部１３に表示させる。詳細通知画面ＤＰ３には、プラズマクリーン異常に対する対処方法の情報が含まれる。詳細通知画面ＤＰ３が表示部１３に表示されているときに選択ボタン１２３がタッチされると、制御部１４は、表示画面を、詳細通知画面ＤＰ３からサブ画面ＮＰ４に戻す。
【００５２】
つまり、詳細通知画面ＤＰ１〜ＤＰ３では、メニュー画面ＮＰ４によって通知された異常の項目の詳細な内容が通知される。
【００５３】
また、メニュー画面ＮＰ４が表示部１３に表示されているときに選択ボタン１２３がタッチされると、制御部１４は、表示画面を、メニュー画面ＮＰ４からサブ画面ＳＰ４に戻す。なお、制御部１４は、メニュー画面ＮＰ４が表示部１３に表示されているときに選択ボタン１２４がタッチされると、表示画面を、メニュー画面ＮＰ４からサブ画面ＳＰ４に戻しても良い。
【００５４】
また、サブ画面ＳＰ４が表示部１３に表示されてから所定時間（例えば、０.８秒）以内に選択ボタン１２４がタッチされると、制御部１４は、表示画面を、サブ画面ＳＰ４からサブ画面ＳＰ１に切りかえる。
【００５５】
また、サブ画面ＳＰ４が表示部１３に表示されてから所定時間（例えば、０.８秒）以内に選択ボタン１２３がタッチされると、制御部１４は、表示画面を、サブ画面ＳＰ４からメイン画面ＭＰに切りかえる。
【００５６】
また、サブ画面ＳＰ１が表示部１３に表示されてから所定時間（例えば、０.８秒）以内に選択ボタン１２３がタッチされると、制御部１４は、表示画面を、サブ画面ＳＰ１からサブ画面ＳＰ４に切りかえる。
【００５７】
なお、上記説明では、図６に示すようにサブ画面ＳＰ４を異常発生時のメイン画面ＭＰの右に隣接して配置するのに代えて、サブ画面ＳＰ４を、人間の感覚的に、異常発生時のメイン画面ＭＰの左に隣接して配置しても良い。この場合、異常発生マークＭ１を含むメイン画面ＭＰが表示部１３に表示されているときに選択ボタン１２３がタッチされると、制御部１４は、表示画面を、メイン画面ＭＰからサブ画面ＳＰ４に切りかえる。決定ボタン１２３へのタッチ操作は、操作部１２に対してなされる「所定の操作」の一例である。
【００５８】
また、サブ画面ＳＰ４を、人間の感覚的に、異常発生時のメイン画面ＭＰの左右双方に隣接して配置しても良い。この場合、異常発生マークＭ１を含むメイン画面ＭＰが表示部１３に表示されているときに選択ボタン１２３または選択ボタン１２４がタッチされると、制御部１４は、表示画面を、メイン画面ＭＰからサブ画面ＳＰ４に切りかえる。
【００５９】
以上、実施例１について説明した。
【００６０】
［実施例２］
ここで、実施例１において各選択ボタンによる表示画面の遷移を示す図を、空気調和機２０が正常に動作している表示画面例として図５に、空気調和機２０に異常が発生しているときの表示画面例として図６に示したが、図上で人間の感覚的に示されている表示画面の上下左右の位置関係はこれに限定されるものではない。例えば図５において左右方向を上下方向に、上下方向を左右方向に置き換えたものを図１０として示す。また、図６において左右方向を上下方向に、上下方向を左右方向に置き換えたものを図１１として示す。このようにして表示画面を配置した場合でも、実施例１と同様な動作をさせることが可能である。実施例２は、実施例１と比べて、表示画面についての人間の感覚的な位置関係を変えたのみであるため、実施例２では、動作に関する説明は省略する。
【００６１】
［実施例３］
＜リモートコントローラのハードウェア構成＞
リモコン１０は、次のようなハードウェア構成により実現することができる。例えば、操作部１２は、タッチセンサにより実現される。表示部１３は、例えば液晶ディスプレイにより実現される。また、操作部１２と表示部１３とを一体として、タッチパネルにより実現しても良い。制御部１４は、例えばプロセッサによって実現される。プロセッサの一例として、ＣＰＵ（Central  Processing  Unit）、ＤＳＰ（Digital  Signal  Processor）、ＦＰＧＡ（Field  Programmable  Gate  Array）等が挙げられる。記憶部１５は、例えばメモリによって実現される。メモリの一例として、ＳＤＲＡＭ（Synchronous  Dynamic  Random  Access  Memory）等のＲＡＭ（Random  Access  Memory），ＲＯＭ（Read  Only  Memory），フラッシュメモリ等が挙げられる。通信部１６及びアンテナ１７は、例えば無線通信モジュールによって実現される。
【００６２】
また、制御部１４での上記説明における各処理は、各処理に対応するプログラムをプロセッサに実行させることによって実現しても良い。例えば、制御部１４での上記説明における各処理に対応するプログラムがリモコン１０が有するメモリに記憶され、リモコン１０が有するプロセッサによってプログラムがメモリから読み出されて実行されても良い。
【符号の説明】
【００６３】
１  空気調和機制御システム
１０  リモートコントローラ
２０  空気調和機
１２  操作部
１３  表示部
１４  制御部
【図１】
2020072333.tif 000003
【図２】
2020072333.tif 000004
【図３】
2020072333.tif 000005
【図４】
2020072333.tif 000006
【図５】
2020072333.tif 000007
【図６】
2020072333.tif 000008
【図７】
2020072333.tif 000009
【図８】
2020072333.tif 000010
【図９】
2020072333.tif 000011
【図１０】
2020072333.tif 000012
【図１１】
2020072333.tif 000013